(57)【要約】【課題】部材同士の連結に用いるプラスチック製の連結具において、部材同士を連結した後に部材の変動が生じても、良好な連結状態を維持できるようにする。【解決手段】部材に留め付ける結合体同士を、複数の湾曲部を有する適宜な太さの連結条路よりなる継手部を介して一体に連結し、連結部分に荷重がかかったときに、継手部が撓み、変形することにより荷重が吸収されるように設ける。【選択図】      図１
2004293626.tif 000002
【特許請求の範囲】
【請求項１】
継手部の両側に結合体を一体に設けてなり、端面を突き合わせた二つの部材に前記結合体をそれぞれ固定して両部材を連結する連結具において、前記継手部が可撓性を有することを特徴とする連結具。
【請求項２】
湾曲部を有する適宜な太さの連結条路よりなる継手部を介して両結合体を一体に設けてなる請求項１に記載の連結具。
【発明の詳細な説明】
【０００１】
【発明の属する技術分野】
本発明は、向かい合わせに配した部材同士を連結するのに用いるプラスチック製の連結具に関する。
【０００２】
【従来の技術】
端面同士を突き合わせて隣接配置した二つの部材を一体に連結する連結具として、図７に示されるように、連結板７１の両側にクリップ部７２ａとピン７２ｂからなる結合体７２、７２を連結した構造のものが知られている。この連結具は、連結すべき部材７０、７０に設けた取付孔７０ａ、７０ａにクリップ部７２ａ、７２ａをそれぞれ嵌め入れ、ピン７２ｂ、７２ｂを両クリップ部７２ａ内に挿入し両クリップ部７２ａの外径を広げて取付孔７０ａ、７０ａに嵌合させることにより部材７０、７０同士を連結するものである（例えば特許文献１参照）。
【０００３】
【特許文献１】
実公平５−４７２８７号公報
【０００４】
【発明が解決しようとする課題】
従来の連結具は、部材７０、７０の連結間隔を調節可能に形成されているものの、部材同士を連結した後で部材の間隔や位置、向きに変動が生じた場合に、これを吸収することができなかった。
例えば、スイミングスクールのプールでは、底上げ用のプール用床が使用され、幼児のスクールではプールの底にプール用床を複数並べ、大人のスクールではプール用床をプールから引き上げてプールの深さを調整している。このプール用床同士を連結した場合、プール用床上を人が歩くときや、プール用床を連結したままプールから移動するときなどに連結部分に様々な方向から荷重がかかるが、連結板７１の両側に結合体７２、７２が一体に固定される従来の連結具を用いたのでは、連結板７１の短手幅方向や連結板７１の板面と直交する方向、連結板７１が捩れる方向にかかる荷重を吸収することができず、最悪の場合にクリップ部７２ａが外れたり連結板７１が割れたりする事態も生じかねない。硬質であるが発錆の虞れのある鋼製の連結具はプール用床の連結には適さず、プラスチック製の連結具に荷重を吸収する機構を装備するのが好ましい。
【０００５】
本発明は従来技術の有するこのような問題点に鑑み、部材同士を連結するのに用いるプラスチック製の連結具において、部材同士を連結した後に部材の配置間隔や位置、向きの変動が生じても、良好な連結状態を維持できるようにすることを課題とする。
【０００６】
【課題を解決するための手段】
前記課題を解決するため本発明の連結具は、継手部の両側に結合体を一体に設けてなり、端面を突き合わせた二つの部材に前記結合体をそれぞれ固定して両部材を連結する連結具において、前記継手部が可撓性を有することを特徴とするものである。
前記構成の連結具は、湾曲部を有する適宜な太さの連結条路よりなる継手部を介して両結合体を一体に設けることにより、継手部が任意の方向へ撓むように形成することができる。
【０００７】
本発明の連結具によれば、部材の配置間隔や位置、向きが変動することにより連結部分に荷重がかかった場合、荷重を受けた方向に対応して継手部が撓み、変形することにより荷重を吸収し、両結合体を部材に安定的に固定せしめて連結状態を維持する。
前記連結条路は、任意の方向へ撓み、伸縮することにより両結合体間の変動を吸収可能な形状、例えば複数箇所で湾曲した複曲線形或いは蛇腹形の紐状や帯状に設けることができる。連結条路の厚み、結合体間に架け渡す数、結合体との連結位置なども、連結すべき部材に応じて連結具に必要とされる強度や許容される伸縮幅、撓む度合いなどにより適宜に設定される。また、継手部を特定の方向へ撓むように形成し、当該方向の変動のみを吸収するように設けることは適宜行われる。継手部はその素材の性状によって撓むように形成してもよい。
また、結合体は、前記クリップ部とピンとの結合により留め付ける機能を奏する構成など、部材に一体的に固定でき且つ固定状態を維持するように機能する適宜な構成とすることができる。
【０００８】
【発明の実施の形態】
本発明の好適な実施形態を図面を参照して説明する。
図１は連結具の一実施形態の斜視図、図２はその上面図、図３は部材同士を連結した状態の断面図、図４は連結具の他の実施形態の斜視図、図５はその上面図、図６は部材同士を連結する状態の断面図であり、図中、符号１は連結具、２は結合体、３は継手部、４は連結すべき部材をそれぞれ示している。
【０００９】
図１〜図３において、連結具１は、クリップ部２１とピン２２を別体に形成し、両部材を結合することにより部材４に留め付ける機能を奏する一対の結合体２、２を、継手部３で適宜な間隔を開けて一体に連結して構成されている。
【００１０】
詳しくは、結合体２のクリップ部２１は、中央に開口を有する略円形の頭部２１１の下側に前記開口に沿って環状に突出した脚部２１２を設け、さらに脚部２１２の下部にスリットにより縦に四分割されていて下部内面を内方へ膨出させてなる脚片２１３を設けて形成してある。頭部２１１の上面にはピン２２の頂部２２１の周縁が没入する溝２１１ａが設けてあり、脚部２１２の下端部と各脚片２１３の下部内周面には、ピン２２の軸部外周面に設けたネジ溝２２２ａが螺合する突起２１２ａ、２１３ａが設けてある。
また、ピン２２は、周面に操作片２２１ａが突設された頂部２２１の下部中央に、前記前記内方へ膨出した脚片２１３の下部開口径よりも大径の軸部２２２を突出させて形成してある。軸部２２２の下部外周面にはネジ溝に２２２ａが設けてあり、その下端部は先細り状としてある。
クリップ部２１とピン２２からなる結合体２は、部材４に設けた取付孔４１内にクリップ部２１を嵌め入れ、その状態で前記クリップ部の頭部２１１の開口内にピン２２を挿入し、ネジ溝２２２ａを突起２１３ａに係合させて脚部２１２内に進入したピン２２の軸部２２２が脚片２１３を外側に押し広げ、クリップ部２１の下部外径が広がって取付孔４１の下側に嵌合することにより、部材４に一体に留め付けられるようになっている。
【００１１】
継手部３は、クリップ部２１、２１と一体成形された、湾曲した適宜な太さの連結条路３１、３１により構成されている。
詳しくは、図２に示されるように、連結条路３１、３１は、略々Ｍ字型に屈曲した形状を呈し、それぞれ両端がクリップ部２１、２１の左右外周面から枝分かれし、湾曲した部分を両クリップ部２１の左右側方へ張り出して、端面間に隙間５を開けて並んだ両クリップ部２１に架け渡してある。両連結条路３１が湾曲部３１ａを複数連ねた形状に設けてあるので、両クリップ部２１に、両クリップ部２１の中心を結んだ軸方向やこれと直交する方向、軸方向の周りを回転する方向への荷重かかったときは、両連結条路３１が荷重を受けた方向に応じて撓み、適宜に変形して、両クリップ部２１間を伸縮させ或いは捩れることにより荷重を吸収することができるようになっている。
【００１２】
図４〜図６に示された連結具１は結合体２の形状が異なるものであり、これは、クリップ部２１をその頭部２１１の下側にスリットにより分割された脚片２１３を設けて形成し、また、ピン２２をその軸部２２２の下部外周面に突条２２２ｂを設けて形成し、頭部２１１の開口内にピン２２を圧挿して脚片２１３を外側に押し広げるとともに、脚片２１３の突起に２１３ａに突条２２２を係合させてピン２２が抜けないように構成したものである。両クリップ部２１の左右外周面に略々Ｍ字型に屈曲した連結条路３１、３１からなる継手部３が一体に設けてある点は前記形態と同様である。
【００１３】
このように形成された連結具１によれば、プール用床などの部材４、４を連結する場合に、端面を突き合わせて部材４、４を並べ、その縁部に形成された取付孔４１、４１に結合体２、２のクリップ部２１をそれぞれ嵌め入れ、その状態でクリップ部頭部２１１の開口内にピン２２を挿入し、クリップ部２１内に進入したピン２２の軸部２２２で脚片２１３を外側に押し広げ、外径が広がったクリップ部２１の下部が取付孔４１の下側に嵌合することにより結合体２が部材４に一体的に固定され、部材４、４を一体に連結することができる。
【００１４】
部材同士を連結した後に、部材４、４の間隔が伸縮し、或いは部材４、４同士が捩れるなどして連結部分に荷重がかかったときは、連結条路３１、３１からなる継手部３が荷重を受けた方向に応じて適宜に変形してこれを吸収し、両結合体２を部材４、４に安定して固定し留め付けておくことができる。
【００１５】
なお、図示した連結具１の形態は一例であり、本発明は他の適宜な形態で構成可能である。
【００１６】
【発明の効果】
本発明の連結具によれば、部材同士を連結した後に部材の配置間隔や位置、向きの変動が生じて連結部分にかかる荷重を継手部が適宜に撓み、変形してこれを吸収し、良好な連結状態を維持することが可能である。
【図面の簡単な説明】
【図１】本発明の連結具の一実施形態の斜視図である。
【図２】図１の連結具の上面図である。
【図３】図１の連結具を用いて部材同士を連結した状態の断面図である。
【図４】本発明の連結具の他の実施形態の斜視図である。
【図５】図４の連結具の上面図である。
【図６】図１の連結具を用いて部材同士を連結する状態の断面図である。
【図７】従来の連結具を用いて部材同士を連結した状態の断面図である。
【符号の説明】
１  連結具、２  結合体、２１  クリップ部、２１１  頭部、２１１ａ  溝、２１２  脚部、２１２ａ  突起、２１３  脚片、２１３ａ  突起、２２  ピン、２２１  頂部、２２１ａ  操作片、２２２  軸部、２２２ａ  ネジ溝、２２２ｂ突条、３  継手部、３１  連結条路、３１ａ  湾曲部、４  部材、４１  取付孔、５  隙間
【図１】
2004293626.tif 000003
【図２】
2004293626.tif 000004
【図３】
2004293626.tif 000005
【図４】
2004293626.tif 000006
【図５】
2004293626.tif 000007
【図６】
2004293626.tif 000008
【図７】
2004293626.tif 000009